(57)【要約】【課題】上下左右の各方向に対応した操作キー等の限られた操作キーに対する操作のみで比較したい画像を容易に選択することが可能な画像表示装置及び画像表示方法を提供する。【解決手段】画像表示装置１は、表示部１０と、入力部１１と、分割画面制御部１２と、を有する。分割画面制御部１２は、例えば、表示部１０の画面を左右に分割して表示させると共に、左右に分割した各画面に上下方向に連続させて画像を配列して表示させる。そのとき、分割画面制御部１２は、入力部１１に対する左又は右方向の操作キーの操作に基づき、左又は右側の画面をアクティブ画面とする。さらに、入力部１１が受け付けた左右方向の操作キーの操作に引き続く上又は下方向の操作キーの操作に基づいて、アクティブ画面として設定された画面に表示させる連続画像を、上記引き続いて操作された操作キーの方向に対応する方向に移動して変更する。【選択図】図１
2008097324.tif 000002
【特許請求の範囲】
【請求項１】
画面を表示する表示部と、
上下左右の各方向に対応した操作キーを介して操作を受け付ける操作受付部と、
前記表示部の画面を左右または上下に分割して表示すると共に、左右に分割した前記表示部の各画面に上下方向に、または、上下に分割した前記表示部の各画面に左右方向に連続させて画像を配列して表示させる分割画面制御部と、を有し、
該分割画面制御部は、前記操作受付部が受け付けた左方向又は右方向の何れかの操作キーの操作、あるいは、上方向又は下方向の何れかの操作キーの操作に基づき、前記分割した左側又は右側の何れかの画面、あるいは、前記分割した上側又は下側の何れかの画面をアクティブ画面として設定し、
さらに、前記操作受付部が受け付けた前記左右方向の操作キーの操作に引き続く上方向又は下方向の何れかの操作キーの操作、あるいは、前記上下方向の操作キーの操作に引き続く左方向又は右方向の何れかの操作キーの操作に基づいて、前記アクティブ画面として設定された前記分割した画面に表示させる前記連続画像を、前記引き続いて操作された操作キーの方向に対応する方向に移動して変更することを特徴とする画像表示装置。
【請求項２】
前記分割画面表示制御部は、前記アクティブ画面として設定した側に対応する方向の操作キーの操作を前記操作受付部が受け付けたとき、前記アクティブ画面に表示させていた画像に代えて、前記アクティブ画面に表示させていた画像が属するフォルダを含む複数のフォルダを連続配列表示させることを特徴とする請求項１記載の画像表示装置。
【請求項３】
前記分割画面表示制御部は、前記分割した画面に連続させて配列して表示させる画像のうち少なくとも１つを大きいサイズに表示させることを特徴とする請求項１記載の画像表示装置。
【請求項４】
画面を左右または上下に分割して表示し、
該左右に分割した各画面に上下方向に、または、前記上下に分割した各画面に左右方向に連続させて画像を配列して表示し、
左方向又は右方向の何れかの操作キーの操作、あるいは、上方向又は下方向の何れかの操作キーの操作に基づき、前記分割した左側又は右側の何れかの画面、あるいは、前記分割した上側又は下側の何れかの画面をアクティブ画面として設定し、
前記左右方向の操作キーの操作に引き続く上方向又は下方向の何れかの操作キーの操作、あるいは、前記上下方向の操作キーの操作に引き続く左方向又は右方向の何れかの操作キーの操作に基づいて、前記アクティブ画面として設定された前記分割した画面に表示する前記連続画像を、前記引き続いて操作された操作キーの方向に対応する方向に移動して変更することを特徴とする画像表示方法。
【請求項５】
前記アクティブ画面として設定した側に対応する方向の操作キーの操作を受け付けたとき、前記アクティブ画面に表示していた画像に代えて、該アクティブ画面に表示していた画像が属するフォルダを含む複数のフォルダを連続配列表示することを特徴とする請求項４記載の画像表示方法。
【請求項６】
前記分割した画面に連続させて配列して表示する画像のうち少なくとも１つを大きいサイズに表示することを特徴とする請求項４記載の画像表示方法。
【発明の詳細な説明】
【技術分野】
【０００１】
本発明は、画面に比較する２枚の画像を表示し、上下左右の各方向に対応した操作キーに対する操作のみで比較したい画像の選択を行うことができる画像表示装置及び画像表示方法に関するものである。
【背景技術】
【０００２】
近年、デジタルカメラ、携帯電話に付属されているカメラが普及し、撮影した画像をハードディスク、ＳＤカードなど記録媒体に保存し、さらに画像サイズ変更や色調補正など画像を編集し、保存できるようになってきている。しかしながら、それら記録媒体の大容量化により多数の画像が保存できるようになると、その中から気に入った画像を選び出すのが難しくなってきている。
【０００３】
画像を選び出す方法としては、１つの画面にサムネイルを表示し、その中から気に入った画像を選択するものがある。選択の際に画面に表示されているサムネイルは、数が限られており、また、格子状に表示されている。したがって、例えば、同じ風景を数枚撮影し、その中から気に入った画像を選択するのに、サムネイル表示画面から選択した画像を画面に１枚表示し、それを頭で覚えて、またサムネイル表示画面に戻して、別の画像を選択し、画面に１枚表示し、頭で覚えたものと比較するという作業を繰り返さなければならなかった。
【０００４】
この問題を解決するため、特許文献１に記載の画像表示方法では、第１画像を表示する第１領域と、第２画像を表示する第２領域と、第１領域に隣接して設けられた第１画像を選択するための複数の各サムネイル画像を表示する第３領域と、第２領域に隣接して設けられた第２画像を選択するための複数の各サムネイル画像を表示する第４領域との４つの領域に、画面を分割して表示している。このように、選択のために２枚の画像を画面に並べて表示することによって、２枚の画像の比較を容易に行うことができ、また、サムネイル画像を同画面に表示することによって、比較表示のための操作を容易に行うことができる。
【特許文献１】特開２００５−９１４３０号公報
【発明の開示】
【発明が解決しようとする課題】
【０００５】
しかしながら、上記特許文献１では、比較したい２枚の画像を選択する際、所望の画像を選択するのに、多くの操作キーを使用しなければならないので、上下左右の各方向に対応した操作キー等の限られた操作キーに対する操作のみで所望の画像を選択しなければならない携帯電話、ＰＤＡ（Ｐｅｒｓｏｎａｌ  Ｄｉｇｉｔａｌ  Ａｓｓｉｓｔａｎｔｓ）等のモバイル機器には不向きである。
【０００６】
本発明は上述した課題を解決するためになされたものであり、上下左右の各方向に対応した操作キー等の限られた操作キーに対する操作のみで比較したい画像を容易に選択することが可能な画像表示装置及び画像表示方法を提供することを目的とする。
【課題を解決するための手段】
【０００７】
上記目的を達成するために、本発明の第１の技術手段は、画面を表示する表示部と、上下左右の各方向に対応した操作キーを介して操作を受け付ける操作受付部と、前記表示部の画面を左右または上下に分割して表示すると共に、左右に分割した前記表示部の各画面に上下方向に、または、上下に分割した前記表示部の各画面に左右方向に連続させて画像を配列して表示させる分割画面制御部と、を有し、該分割画面制御部は、前記操作受付部が受け付けた左方向又は右方向の何れかの操作キーの操作、あるいは、上方向又は下方向の何れかの操作キーの操作に基づき、前記分割した左側又は右側の何れかの画面、あるいは、前記分割した上側又は下側の何れかの画面をアクティブ画面として設定し、さらに、前記操作受付部が受け付けた前記左右方向の操作キーの操作に引き続く上方向又は下方向の何れかの操作キーの操作、あるいは、前記上下方向の操作キーの操作に引き続く左方向又は右方向の何れかの操作キーの操作に基づいて、前記アクティブ画面として設定された前記分割した画面に表示させる前記連続画像を、前記引き続いて操作された操作キーの方向に対応する方向に移動して変更することを特徴とした画像表示装置である。
【０００８】
第２の技術手段は、第１の技術手段において、前記分割画面表示制御部は、前記アクティブ画面として設定した側に対応する方向の操作キーの操作を前記操作受付部が受け付けたとき、前記アクティブ画面に表示させていた画像に代えて、前記アクティブ画面に表示させていた画像が属するフォルダを含む複数のフォルダを連続配列表示させることを特徴としたものである。
【０００９】
第３の技術手段は、第１の技術手段において、前記分割画面表示制御部は、前記分割した画面に連続させて配列して表示させる画像のうち少なくとも１つを大きいサイズに表示させることを特徴としたものである。
【００１０】
第４の技術手段は、画面を左右または上下に分割して表示し、該左右に分割した各画面に上下方向に、または、前記上下に分割した各画面に左右方向に連続させて画像を配列して表示し、左方向又は右方向の何れかの操作キーの操作、あるいは、上方向又は下方向の何れかの操作キーの操作に基づき、前記分割した左側又は右側の何れかの画面、あるいは、前記分割した上側又は下側の何れかの画面をアクティブ画面として設定し、前記左右方向の操作キーの操作に引き続く上方向又は下方向の何れかの操作キーの操作、あるいは、前記上下方向の操作キーの操作に引き続く左方向又は右方向の何れかの操作キーの操作に基づいて、前記アクティブ画面として設定された前記分割した画面に表示する前記連続画像を、前記引き続いて操作された操作キーの方向に対応する方向に移動して変更することを特徴とした画像表示方法である。
【００１１】
第５の技術手段は、第４の技術手段において、前記アクティブ画面として設定した側に対応する方向の操作キーの操作を受け付けたとき、前記アクティブ画面に表示していた画像に代えて、該アクティブ画面に表示していた画像が属するフォルダを含む複数のフォルダを連続配列表示することを特徴としたものである。
【００１２】
第６の技術手段は、第４の技術手段において、前記分割した画面に連続させて配列して表示する画像のうち少なくとも１つを大きいサイズに表示することを特徴としたものである。
【発明の効果】
【００１３】
本発明によれば、上下左右の各方向に対応した操作キー等の限られた操作キーに対する操作のみで、２つの画面に表示する比較対象となる画像を容易に選択することができる。
【発明を実施するための最良の形態】
【００１４】
図１及び図２を用いて、本発明に係る画像表示装置の構成例について説明する。
図１は、本発明に係る画像表示装置の構成の一例を示すブロック図で、図２は、画像表示装置の表示部に表示される画面の例を示す図である。図１に示すように、画像表示装置１は、例えば、画面を表示する表示部１０と、ユーザが入力するための入力部１１と、表示部１０に画面を分割して表示するための分割画面制御部１２と、画像データ等を記録する記録媒体１３とを備える。
【００１５】
入力部１１は、上下左右の各方向に対応した操作キー（図示せず）等で構成され、これら操作キー等を介してユーザからの操作を受け付ける操作受付部として機能する。
また、記録媒体１３は、例えば、ＳＤメモリーカードで構成され、第１及び第２表示画面１０ａ，１０ｂに表示する画像（例えば、画像“Ａ”Ｌ１）に対応した画像データ等の各種情報を記録している。
【００１６】
本明細書では、図１に示すように、ユーザが、フォルダＰ１〜Ｐｎのｎ個のフォルダに分けて画像データを記録媒体１３に保存し、また、フォルダＰ１には画像“あ”〜“ん”に対応する画像データを保存し、フォルダＰ２には画像“ア”〜“ン”に対応する画像データを保存し、フォルダＰｎ−１には画像“Ａ”〜“Ｚ”に対応する画像データを保存し、フォルダＰｎには画像“ａ”〜“ｚ”に対応する画像データを保存しているものとして説明する。
【００１７】
表示部１０は、液晶パネル等で構成されるものであって、分割画面制御部１２の制御により、例えば、図２に示すように、１つの表示部に表示する画面を上下または左右の２つの表示画面に分割して表示する。本実施形態では、１つ表示部に表示する画面を２つの表示画面に分割しているが、例えば、表示部が２つある画像表示装置の場合、１つ１つの表示部に画面を表示して２つの表示画面を得るように構成してもよい。
図２（Ａ）は、第１表示画面１０ａを左に、第２表示画面１０ｂを右に、分割して表示した際の表示部１０の表示画面の一例を示しており、図２（Ｂ）は、第１表示画面１０ａを上に、第２表示画面１０ｂを下に、分割して表示した際の表示部１０の表示画面の一例を示している。
【００１８】
また、表示部１０は、例えば、図２（Ａ）に示すように、表示画面を左右に分割した場合は、分割画面制御部１２の制御により、第１表示画面１０ａに、上から順に画像“Ｙ”Ｌ９、画像“Ｚ”Ｌ１０、画像“Ａ”Ｌ１、“Ｂ”Ｌ２、画像“Ｃ”Ｌ３と記録媒体１３に格納されているフォルダＰｎ−１内の一部の画像データに対応する５枚の画像を上下方向に連続して配列して表示する。また、第２表示画面１０ｂにも、上から順に画像“を”Ｒ９、画像“ん”Ｒ１０、画像“あ”Ｒ１、画像“い”Ｒ２、画像“う”Ｒ３と記録媒体１３に格納されているフォルダＰ１内の一部の画像データに対応する５枚の画像を上下方向に連続して配列して表示することができる。
【００１９】
一方、図２（Ｂ）に示すように、表示画面を上下に分割した場合は、分割画面制御部１２の制御により、第１表示画面１０ａに、左から順に画像“ｚ”Ｕ１０、画像“ａ”Ｕ１、画像“ｂ”Ｕ２と記録媒体１３に格納されているフォルダＰｎ内の一部の画像データに対応する３枚の画像を左右方向に連続して配列して表示する。また、第２表示画面１０ｂにも、左から順に画像“ン”Ｄ１０、画像“ア”Ｄ１、画像“イ”Ｄ２と記録媒体１３に格納されているフォルダＰ２内の一部の画像データに対応する３枚の画像を左右方向に連続して配列して表示することができる。
【００２０】
図２（Ａ）の例では、５枚の画像を上下方向に連続して配列して表示し、図２（Ｂ）の例では、３枚の画像を左右方向に連続して配列して表示するが、表示画面に表示する枚数を増やしても問題がなく、その枚数をユーザが設定できるように構成してもよい。
また、図２に示すように、表示画面に連続させて配列して表示する画像のうち少なくとも１つを、大きいサイズに表示部が表示することが好ましい。画像を大きく表示することにより、ユーザは画像の比較を容易に行うことができる。
【００２１】
分割画面制御部１２は、図１に示すように、後述のＵＩ（Ｕｓｅｒ  Ｉｎｔｅｒｆａｃｅ）管理部１７と、入力部１１に対する操作に対応する信号を受信し、その信号に対応するキーコードをＵＩ管理部１７に入力するキー入力部１４と、第１表示画面を制御する第１表示制御部１５と、第２表示画面を制御する第２表示制御部１６と、記録媒体１３を制御する記録媒体制御部１８とを有する。
【００２２】
ＵＩ管理部１７は、キー入力部１４の入力に基づき、所望の画像データを読み出すよう記録媒体制御部１８に指示し、読み出した画像データに基づき、第１表示画面１０ａまたは第２表示画面１０ｂに所望の画像を表示するように指示する。これにより、画像表示装置１は、入力部１１が受け付けた操作に対応した画像を表示部１０の第１及び第２表示画面１０ａ，１０ｂに表示することができる。
【００２３】
また、ＵＩ管理部１７は、表示画面に連続させて配列して表示する画像のうち少なくとも１つを大きいサイズに表示する場合など、読み出した画像データに対して画像処理が必要な場合に対応するため、さらに図示しない画像処理部を有する構成としてもよい。このような構成にすることにより、ＵＩ管理部１７は、読み出した画像データに対してこの画像処理部により画像処理を行い、画像処理後の読み出した画像データに対応した画像を表示するよう、第１表示制御部１５または第２表示制御部１６に指示することができる。
【００２４】
さらに、分割画面制御部１２は、図２（Ａ）に示すように左右に表示画面を分割して表示する場合に、例えば、入力部１１が左方向又は右方向の何れかの操作キーに対するユーザの操作を受け付けると、その操作に基づき、左右に分割した画面の左側又は右側の何れかをアクティブ画面として設定する。また、この場合、入力部１１が左右方向の操作キーの操作に引き続いて上方向又は下方向の何れかの操作キーに対するユーザの操作を受け付けると、分割画面制御部１２は、アクティブ画面として設定された画面に連続して配列して表示する画像を、上方向又は下方向に移動して変更する。
【００２５】
なお、図２（Ｂ）に示すように上下に表示画面を分割して表示する場合には、分割画面制御部１２は、例えば、入力部１１が上方向又は下方向の何れかの操作キーに対するユーザの操作を受け付けると、その操作に基づき、上下に分割した画面の上側又は下側の何れかをアクティブ画面として設定する。また、この場合、入力部１１が上下方向の操作キーの操作に引き続いて左方向又は右方向の何れかの操作キーに対するユーザの操作を受け付けると、分割画面制御部１２は、アクティブ画面として設定された画面に連続して配列して表示する画像を、左方向又は右方向に移動して変更する。
【００２６】
続いて、図３及び図４を用いて、アクティブ画面を設定すると共にそのアクティブ画面に表示する画像を変化させるときに、図１の画像表示装置に対して行う操作及びそのときの画像表示装置の動作の例を説明する。図３及び図４は、アクティブ画面を設定すると共にそのアクティブ画面に表示する画像を変化させるときに、図１の画像表示装置の表示部に表示される画面の例を示す図である。
【００２７】
まず、図３に示すように、表示部１０の第１表示画面１０ａ及び第２表示画面１０ｂを左右に分けて表示した場合について説明する。
画面を左右に分割した場合、表示部１０の左側の第１表示画面１０ａをアクティブ画面に設定するには、まず、ユーザは入力部１１で左方向の操作キー（以下、「〜方向の操作キー」を「方向キー」と称す）を押下する。キー入力部１４でその信号を受信し、そのキーコードをＵＩ管理部１７に入力する。ＵＩ管理部１７で、そのキーコードが“左方向”と判断されたら、ＵＩ管理部１７は表示部１０の左側の第１表示画面１０ａをアクティブ画面にし、第１表示画面１０ａがアクティブ画面であることを示すために、例えばカーソル枠１０ｃを表示するよう第１表示制御部１５に指示する。
【００２８】
第１表示制御部１５は第１表示画面１０ａをアクティブ画面にするとともに第１表示画面１０ａに例えばカーソル枠１０ｃを表示する。図３（Ａ）に示すように第１表示画面１０ａにカーソル枠１０ｃが表示されると共に、第１表示画面１０ａがアクティブ画面になり、第１表示画面１０ａで所望の画像を選択できるようになる。
【００２９】
以上のような方法でアクティブ画面に設定した第１表示画面１０ａ内で画像を上下方向に移動する方法について、図３（Ａ）〜（Ｃ）を用いて説明する。まず、ユーザは入力部１１で上方向または下方向キーを押下する。キー入力部１４でその信号を受信し、そのキーコードをＵＩ管理部１７に入力する。もし、図３（Ａ）に示すような状態で第１表示画面１０ａをアクティブ画面とした場合に、ＵＩ管理部１７で、そのキーコードが“上方向”と判断されたら、ＵＩ管理部１７は、第１表示画面１０ａの一番下に配列されている画像“Ｃ”Ｌ３に続く画像を１枚抽出するよう記録媒体制御部１８に指示する。
【００３０】
記録媒体制御部１８は記録媒体１３に格納されているフォルダＰｎ−１内の画像“Ｃ”Ｌ３に続く画像を１枚抽出し、ＵＩ管理部１７に渡す。ＵＩ管理部１７は第１表示画面１０ａに配列されている画像を１つ上に移動し、記録媒体１３に格納されているフォルダＰｎ−１から抽出した画像“Ｃ”Ｌ３に続く画像を新たに追加するよう第１表示制御部１５に指示する。
【００３１】
第１表示制御部１５は、図３（Ｂ）に示すように画像“Ｙ”Ｌ９が第１表示画面１０ａからはみ出てしまうため第１表示画面１０ａから消すようにする。そして、第１表示制御部１５は、画像“Ｃ”Ｌ３に続く画像“Ｄ”Ｌ４を第１表示画面１０ａの一番下に追加する。このように、第１表示画面１０ａには上から順に画像“Ｚ”Ｌ１０、画像“Ａ”Ｌ１、画像“Ｂ”Ｌ２、画像“Ｃ”Ｌ３、画像“Ｄ”Ｌ４と５枚の画像が配列される。第１表示画面１０ａの中央に位置する画像“Ｂ”Ｌ２は大きなサイズで表示される。
【００３２】
一方、図３（Ａ）に示すような状態で第１表示画面１０ａをアクティブ画面とした場合に、ＵＩ管理部１７で、そのキーコードが“下方向”と判断されたら、ＵＩ管理部１７は、第１表示画面１０ａの一番上に表示されている画像“Ｙ”Ｌ９の１つ前の画像を１枚抽出するよう記録媒体制御部１８に指示する。記録媒体制御部１８は記録媒体１３に格納されているフォルダＰｎ−１内の画像“Ｙ”Ｌ９の１つ前の画像を１枚抽出し、ＵＩ管理部１７に渡す。ＵＩ管理部１７は第１表示画面１０ａに配列されている画像を１つ下に移動し、記録媒体１３に格納されているフォルダＰｎ−１から抽出した画像“Ｙ”Ｌ９の１つ前の画像を新たに追加するよう第１表示制御部１５に指示する。
【００３３】
第１表示制御部１５は、図３（Ｃ）に示すように画像“Ｃ”Ｌ３が第１表示画面１０ａからはみ出てしまうため第１表示画面１０ａから消すようにする。そして、第１表示制御部１５は画像“Ｙ”Ｌ９の１つ前の画像“Ｘ”Ｌ８を第１表示画面１０ａの一番上に追加する。このように、第１表示画面１０ａには上から順に画像“Ｘ”Ｌ８、画像“Ｙ”Ｌ９、画像“Ｚ”Ｌ１０、画像“Ａ”Ｌ１、画像“Ｂ”Ｌ２と５枚の画像が配列される。第１表示画面１０ａの中央に位置する画像“Ｚ”Ｌ１０は大きなサイズで表示される。
【００３４】
また、画面を左右に分割する場合に、表示部１０の右側の第２表示画面１０ｂをアクティブ画面に設定するには、まず、ユーザが入力部１１で右方向キーを押下する。キー入力部１４でその信号を受信し、そのキーコードをＵＩ管理部１７に入力する。ＵＩ管理部１７で、そのキーコードが“右方向”と判断されたら、ＵＩ管理部１７は表示部１０の右側の第２表示画面１０ｂをアクティブ画面にし、第２表示画面１０ｂがアクティブ画面であることを示すカーソル枠１０ｃを表示するよう第２表示制御部１６に指示する。
【００３５】
第２表示制御部１６は第２表示画面１０ｂをアクティブ画面にするとともに第２表示画面１０ｂにカーソル枠１０ｃを表示する。図３（Ｄ）に示すように第２表示画面１０ｂにカーソル枠１０ｃを表示することにより、第２表示画面１０ｂがアクティブ画面になり、第２表示画面１０ｂで所望の画像を選択できるようになる。
【００３６】
以上のような方法でアクティブ画面に設定した第２表示画面１０ｂ内で画像を上下方向に移動する方法について、図３（Ｄ）〜（Ｆ）を用いて説明する。まず、ユーザは入力部１１で上方向または下方向キーを押下する。キー入力部１４でその信号を受信し、そのキーコードをＵＩ管理部１７に入力する。もし、図３（Ｄ）に示すような状態で第２表示画面１０ｂをアクティブ画面とした場合に、ＵＩ管理部１７で、そのキーコードが“上方向”と判断されたら、ＵＩ管理部１７は、第２表示画面１０ｂの一番下に配列されている画像“う”Ｒ３に続く画像を１枚抽出するよう記録媒体制御部１８に指示する。
【００３７】
記録媒体制御部１８は記録媒体１３に格納されているフォルダＰ１内の画像“う”Ｒ３に続く画像を１枚抽出し、ＵＩ管理部１７に渡す。ＵＩ管理部１７は第２表示画面１０ｂに配列されている画像を１つ上に移動し、記録媒体１３に格納されているフォルダＰ１から抽出した画像“う”Ｒ３に続く画像を新たに追加するよう第２表示制御部１６に指示する。
【００３８】
第２表示制御部１６は、図３（Ｅ）に示すように画像“を”Ｒ９が第２表示画面１０ｂからはみ出てしまうため第２表示画面１０ｂから消すようにする。そして、第２表示制御部１６は、画像“う”Ｒ３に続く画像“え”Ｒ４を第２表示画面１０ｂの一番下に追加する。このように、第２表示画面１０ｂには上から順に画像“ん”Ｒ１０、画像“あ”Ｒ１、画像“い”Ｒ２、画像“う”Ｒ３、画像“え”Ｒ４と５枚の画像が配列される。第２表示画面１８ｂの中央に位置する画像“い”Ｒ２は大きなサイズで表示される。
【００３９】
一方、図３（Ｄ）に示すような状態で第２表示画面１０ｂをアクティブ画面とした場合に、ＵＩ管理部１７で、そのキーコードが“下方向”と判断されたら、ＵＩ管理部１７は、第２表示画面１０ｂの一番上に表示されている画像“を”Ｒ９の１つ前の画像を１枚抽出するよう記録媒体制御部１８に指示する。記録媒体制御部１８は、記録媒体１３に格納されているフォルダＰ１内の画像“を”Ｒ９の１つ前の画像を１枚抽出し、ＵＩ管理部１７に渡す。ＵＩ管理部１７は第２表示画面１０ｂに配列されている画像を１つ下に移動し、記録媒体１３に格納されているフォルダＰ１から抽出した画像“を”Ｒ９の１つ前の画像を新たに追加するよう第２表示制御部１６に指示する。
【００４０】
第２表示制御部１６は、図３（Ｆ）に示すように画像“う”Ｒ３が第２表示画面１０ｂからはみ出てしまうため第２表示画面１０ｂから消すようにする。そして、第２表示制御部１６は、画像“を”Ｒ９の１つ前の画像“わ”Ｒ８を第２表示画面１８ｂの一番上に追加する。このように、第２表示画面１０ｂには上から順に画像“わ”Ｒ８、画像“を”Ｒ９、画像“ん”Ｒ１０、画像“あ”Ｒ１、画像“い”Ｒ２と５枚の画像が配列される。第２表示画面１０ｂの中央に位置する画像“い”Ｒ１０は大きなサイズで表示される。
【００４１】
次に、図４に示すように、表示部１０の第１表示画面１０ａ及び第２表示画面１０ｂを上下に分けて表示した場合について説明する。
画面を上下に分割した場合、表示部１０の上側の第１表示画面１０ａをアクティブ画面に設定するには、まず、ユーザは入力部１１で上方向キーを押下する。キー入力部１４でその信号を受信し、そのキーコードをＵＩ管理部１７に入力する。ＵＩ管理部１７で、そのキーコードが“上方向”と判断されたら、ＵＩ管理部１７は表示部１０の上側の第１表示画面１０ａをアクティブ画面にし、第１表示画面１０ａがアクティブ画面であることを示すカーソル枠１０ｃを表示するよう第１表示制御部１５に指示する。
【００４２】
第１表示制御部１５は第１表示画面１０ａをアクティブ画面にするとともに第１表示画面１０ａにカーソル枠１０ｃを表示する。図４（Ａ）に示すように第１表示画面１０ａにカーソル枠１０ｃを表示することにより、第１表示画面１０ａがアクティブ画面になり、第１表示画面１０ａで所望の画像を選択できるようになる。
【００４３】
以上のような方法でアクティブ画面に設定した第１表示画面１０ａ内で画像を左右方向に移動する方法について、図４（Ａ）〜（Ｃ）を用いて説明する。まず、ユーザは入力部１１で左方向または右方向キーを押下する。キー入力部１４でその信号を受信し、そのキーコードをＵＩ管理部１７に入力する。もし、図４（Ａ）に示すような状態で第１表示画面１０ａをアクティブ画面とした場合に、ＵＩ管理部１７で、そのキーコードが“左方向”と判断されたら、ＵＩ管理部１７は、第１表示画面１０ａの一番右に配列されている画像“ｂ”Ｕ２に続く画像を１枚抽出するよう記録媒体制御部１８に指示する。
【００４４】
記録媒体制御部１８は記録媒体１３に格納されているフォルダＰｎ内の画像“ｂ”Ｕ２に続く画像を１枚抽出し、ＵＩ管理部１７に渡す。ＵＩ管理部１７は第１表示画面１８ａに配列されている画像を１つ左に移動し、記録媒体１１に格納されているフォルダＰｎから抽出した画像“ｂ”Ｕ２に続く画像を新たに追加するよう第１表示制御部１５に指示する。
【００４５】
第１表示制御部１５は、図４（Ｂ）に示すように画像“ｚ”Ｕ１０は第１表示画面１８ａからはみ出てしまうため第１表示画面１８ａから消すようにする。そして、第１表示制御部１５は、画像“ｂ”Ｕ２に続く画像“ｃ”Ｕ３は第１表示画面１０ａの一番右に追加する。このように、第１表示画面１０ａには左から順に画像“ａ”Ｕ１、画像“ｂ”Ｕ２、画像“ｃ”Ｕ３、と３枚の画像が配列される。第１表示画面１０ａの中央に位置する画像“ｂ”Ｕ２は大きなサイズで表示される。
【００４６】
一方、図４（Ａ）に示すような状態で第１表示画面１０ａをアクティブ画面とした場合に、ＵＩ管理部１７で、そのキーコードが“右方向”と判断されたら、ＵＩ管理部１７は、第１表示部１０ａの一番左に表示されている画像“ｚ”Ｕ１０の１つ前の画像を１枚抽出するよう記録媒体制御部１８に指示する。記録媒体制御部１８は記録媒体１３に格納されているフォルダＰｎ内の画像“ｚ”Ｕ１０の１つ前の画像を１枚抽出し、ＵＩ管理部１７に渡す。ＵＩ管理部１７は第１表示画面１０ａに配列されている画像を１つ右に移動し、記録媒体１３に格納されているフォルダＰｎから抽出した画像“ｚ”Ｕ１０の１つ前の画像を新たに追加するよう第１表示制御部１５に指示する。
【００４７】
第１表示制御部１５は、図４（Ｃ）に示すように画像“ｂ”Ｕ２が第１表示画面１０ａからはみ出てしまうため第１表示画面１０ａから消すようにする。そして、第１表示制御部１５は画像“ｚ”Ｕ１０の１つ前の画像“ｙ”Ｕ９を第１表示部１８ａの一番左に追加する。このように、第１表示画面１０ａには左から順に画像“ｙ”Ｕ９、画像“ｚ”Ｕ１０、画像“ａ”Ｕ１と３枚の画像が配列される。第１表示画面１０ａの中央に位置する画像“ｚ”Ｕ１０は大きなサイズで表示される。
【００４８】
また、画面を上下に分割する場合に、表示部１０の下側の第２表示画面１０ｂをアクティブ画面に設定するには、まず、ユーザが入力部１２で下方向キーを押下する。キー入力部１４でその信号を受信し、そのキーコードをＵＩ管理部１７に入力する。ＵＩ管理部１７で、そのキーコードが“下方向”と判断されたら、ＵＩ管理部１７は表示部１０の下側の第２表示部１０ｂをアクティブ画面にし、第２表示画面１０ｂがアクティブ画面であることを示すカーソル枠１０ｃを表示するよう第２表示制御部１６に指示する。
【００４９】
第２表示制御部１６は第２表示画面１０ｂをアクティブ画面にするとともに第２表示画面１０ｂにカーソル枠１０ｃを表示する。図４（Ｄ）に示すように第２表示画面１０ｂにカーソル枠１０ｃを表示することにより、第２表示画面１０ｂがアクティブ画面になり、第２表示画面１０ｂで所望の画像を選択できるようになる。
【００５０】
以上のような方法でアクティブ画面に設定した第２表示画面１０ｂ内で画像を左右方向に移動する方法について、図４（Ｄ）〜（Ｆ）を用いて説明する。まず、ユーザは入力部１１で左方向または右方向キーを押下する。キー入力部１４でその信号を受信し、そのキーコードをＵＩ管理部１７に入力する。もし、図４（Ｄ）に示すような状態で第２表示画面１０ｂをアクティブ画面とした場合に、ＵＩ管理部１７で、そのキーコードが“左方向”と判断されたら、ＵＩ管理部１７は、第２表示画面１０ｂの一番右に配列されている画像“ヒ”Ｄ２に続く画像を１枚抽出するよう記録媒体制御部１３に指示する。
【００５１】
記録媒体制御部１８は記録媒体１３に格納されているフォルダＰ２内の画像“ヒ”Ｄ２に続く画像を１枚抽出し、ＵＩ管理部１７に渡す。ＵＩ管理部１７は第２表示画面１０ｂに配列されている画像を１つ左に移動し、記録媒体１３に格納されているフォルダＰ２から抽出した画像“ヒ”Ｄ２に続く画像を新たに追加するよう第２表示制御部１６に指示する。
【００５２】
第２表示制御部１６は、図４（Ｅ）に示すように画像“ロ”Ｄ１０は第２表示画面１０ｂからはみ出てしまうため第２表示画面１０ｂから消すようにする。そして、第２表示制御部１６は、画像“ヒ”Ｄ２に続く画像“フ”Ｄ３を第２表示画面１０ｂの一番右に追加する。このように、第２表示画面１０ｂには左から順に画像“ハ”Ｄ１、画像“ヒ”Ｄ２、画像“フ”Ｄ３と３枚の画像が配列される。第２表示画面１０ｂの中央に位置する画像“ヒ”Ｄ２は大きなサイズで表示される。
【００５３】
一方、図４（Ｄ）に示すような状態で第２表示画面１０ｂをアクティブ画面とした場合に、ＵＩ管理部１７で、そのキーコードが“右方向”と判断されたら、ＵＩ管理部１７は、第２表示画面１０ｂの一番左に表示されている画像“ロ”Ｄ１０の１つ前の画像を１枚抽出するよう記録媒体制御部１８に指示する。記録媒体制御部１８は記録媒体１３に格納されているフォルダＰ２内の画像“ロ”Ｄ１０の１つ前の画像を１枚抽出し、ＵＩ管理部１７に渡す。ＵＩ管理部１７は第２表示画面１０ｂに配列されている画像を１つ右に移動し、記録媒体１３に格納されているフォルダＰ２から抽出した画像“ロ”Ｄ１０の１つ前の画像を新たに追加するよう第２表示制御部１６に指示する。
【００５４】
第２表示制御部１６は、図４（Ｆ）に示すように画像“ヒ”Ｄ２は第２表示画面１０ｂからはみ出てしまうため第２表示画面１０ｂから消すようにする。そして、第２表示制御部１６は、画像“ロ”Ｄ１０の１つ前の画像“レ”Ｄ９を第２表示画面１０ｂの一番左に追加する。このように、第２表示画面１０ｂには左から順に画像“レ”Ｄ９、画像“ロ”Ｄ１０、画像“ハ”Ｄ１と３枚の画像が配列される。第２表示部１８ｂの中央に位置する画像“ロ”Ｄ１０は大きなサイズで表示される。
【００５５】
また、本発明の画像形成装置は、上下または左右方向の所定操作のみで画像に属するフォルダに切り替えるために、アクティブ画面として設定した側に対応する方向の操作キーの操作を入力部が受け付けたとき、アクティブ画面に表示させていた画像に代えて、その画像が属するフォルダを連続配列表示するように構成することができる。このときに図１の画像表示装置に対して行う操作及びこのときの当該装置の動作の例について、図５及び図６並びに前述の図３及び図４を用いて説明する。図５及び図６は、アクティブ画面として設定した側に対応する方向の操作キーの操作を入力部が受け付けたときに、図１の画像表示装置の表示部に表示される画面の例を示す図である。
【００５６】
まず、表示部１０の画面を左右に分割して表示する場合であって、左側の第１表示画面１０ａをアクティブ画面として設定する場合に、アクティブ画面に表示されていた画像に属するフォルダを連続配列表示し、移動する方法について説明する。ユーザが左方向キーを押下してから図３（Ａ）のように第１表示画面１０ａがアクティブ画面になる方法は、上述の通りであるので省略する。第１表示画面１０ａがアクティブ画面のとき、ユーザはさらに入力部１１で左方向キーを押下する。キー入力部１４でその信号を受信し、そのキーコードをＵＩ管理部１７に入力する。ＵＩ管理部１７で、そのキーコードが“左方向”と判断されたら、ＵＩ管理部１７は、記録媒体１３に格納されているフォルダの情報を抽出するよう記録媒体制御部１８に要求する。
【００５７】
記録媒体制御部１８は記録媒体１３に格納されているフォルダの情報を抽出し、ＵＩ管理部１７に渡す。ＵＩ管理部１７は記録媒体制御部１８から渡されたフォルダの情報から記録媒体１３に格納されているフォルダを第１表示画面１０ａに配列するよう第１表示制御部１５に指示する。第１表示制御部１５は、図５（Ａ）に示すように、第１表示画面１０ａに配列されて表示されていた画像に属するフォルダＰｎ−１Ｆ１を第１表示画面１０ａの中央に位置させて、大きなサイズで表示し、他のフォルダを上下方向に連続させて配列表示する。この後に、第１表示画面１０ａに上下方向に配列された画像を上下方向キーで上下方向に移動させ、変化させる上述の方法と同じように、第１表示画面１０ａに上下方向に配列されたフォルダを上下方向キーで上下方向に移動させ、変化させる。このようにフォルダを表示することにより、所望のフォルダを選択できるようになる。
【００５８】
次に、表示部１０の画面を左右に分割して表示する場合であって、右側の第２表示画面１０ｂをアクティブ画面として設定する場合に、アクティブ画面に表示されていた画像に属するフォルダを連続配列表示し、移動する方法について説明する。ユーザが右方向キーを押下してから図３（Ｄ）のように第２表示画面１０ｂがアクティブ画面になる方法は、上述の通りであるので省略する。第２表示画面１０ｂがアクティブ画面のとき、ユーザはさらに入力部１１で右方向キーを押下する。キー入力部１４でその信号を受信し、そのキーコードをＵＩ管理部１７に入力する。ＵＩ管理部１７で、そのキーコードが“右方向”と判断されたら、ＵＩ管理部１７は、記録媒体１３に格納されているフォルダの情報を抽出するよう記録媒体制御部１８に要求する。
【００５９】
記録媒体制御部１８は記録媒体１３に格納されているフォルダの情報を抽出し、ＵＩ管理部１７に渡す。ＵＩ管理部１７は記録媒体制御部１８から渡されたフォルダの情報から記録媒体１３に格納されているフォルダを第２表示画面１０ｂに配列するよう第２表示制御部１６に指示する。第２表示制御部１６は、図５（Ｂ）に示すように、第２表示画面１０ｂに配列されて表示されていた画像に属するフォルダＰｎ−１Ｆ８を第２表示画面１０ｂの中央に位置させて、大きなサイズで表示し、他のフォルダを上下方向に連続させて配列表示する。この後に、第２表示画面１０ｂに上下方向に配列された画像を上下方向キーで上下方向に移動させ、変化させる上述の方法と同じように、第２表示画面１０ｂに上下方向に配列されたフォルダを上下方向キーで上下方向に移動させ、変化させる。このようにフォルダを表示することにより、所望のフォルダを選択できるようになる。
【００６０】
続いて、表示部１０の画面を上下に分割して表示する場合であって、上側の第１表示画面１０ａをアクティブ画面として設定する場合に、アクティブ画面に表示されていた画像に属するフォルダを連続配列表示し、移動する方法について説明する。ユーザが右方向キーを押下してから図４（Ａ）のように第１表示画面１０ａがアクティブ画面になる方法は、上述の通りであるので省略する。第１表示画面１０ａがアクティブ画面のとき、ユーザはさらに入力部１１で上方向キーを押下する。キー入力部１４でその信号を受信し、そのキーコードをＵＩ管理部１７に入力する。ＵＩ管理部１７で、そのキーコードが“上方向”と判断されたら、ＵＩ管理部１７は、記録媒体１３に格納されているフォルダの情報を抽出するよう記録媒体制御部１８に要求する。
【００６１】
記録媒体制御部１８は記録媒体１３に格納されているフォルダの情報を抽出し、ＵＩ管理部１７に渡す。ＵＩ管理部１７は記録媒体制御部１８から渡されたフォルダの情報から記録媒体１３に格納されているフォルダを第１表示画面１０ａに配列するよう第１表示制御部１５に指示する。第１表示制御部１５は、図６（Ａ）に示すように、第１表示画面１０ａに配列されて表示されていた画像に属するフォルダＰｎＦ２を第１表示画面１０ａの中央に位置させて、大きなサイズで表示し、他のフォルダを左右方向に連続させて配列表示する。この後に、第１表示画面１０ａに左右方向に配列された画像を左右方向キーで左右方向に移動させ、変化させる上述の方法と同じように、第１表示画面１０ａに左右方向に配列されたフォルダを左右方向キーで左右方向に移動させ、変化させる。このようにフォルダを表示することにより、所望のフォルダを選択できるようになる。
【００６２】
さらに、表示部１０の画面を上下に分割して表示する場合であって、下側の第２表示画面１０ｂをアクティブ画面として設定する場合に、アクティブ画面に表示されていた画像に属するフォルダを連続配列表示し、移動する方法について説明する。ユーザが下方向キーを押下してから図４（Ｄ）のように第２表示画面１０ｂがアクティブ画面になる方法は、上述の通りであるので省略する。第２表示画面１０ｂがアクティブ画面のとき、ユーザはさらに入力部１１で下方向キーを押下する。キー入力部１４でその信号を受信し、そのキーコードをＵＩ管理部１７に入力する。ＵＩ管理部１７で、そのキーコードが“下方向”と判断されたら、ＵＩ管理部１７は、記録媒体１３に格納されているフォルダの情報を抽出するよう記録媒体制御部１８に要求する。
【００６３】
記録媒体制御部１８は記録媒体１３に格納されているフォルダの情報を抽出し、ＵＩ管理部１７に渡す。ＵＩ管理部１７は記録媒体制御部１８から渡されたフォルダの情報から記録媒体１３に格納されているフォルダを第２表示画面１０ｂに配列するよう第２表示制御部１６に指示する。第２表示制御部１６は、図６（Ｂ）に示すように、第２表示画面１０ｂに配列されて表示されていた画像に属するフォルダＰ２Ｆ９を第２表示画面１０ｂの中央に位置させて、大きなサイズで表示し、他のフォルダを左右方向に連続させて配列表示する。この後に、第２表示画面１０ｂに左右方向に配列された画像を左右方向キーで左右方向に移動させ、変化させる上述の方法と同じように、第２表示画面１０ｂに左右方向に配列されたフォルダを左右方向キーで左右方向に移動させ、変化させる。このようにフォルダを表示することにより、所望のフォルダを選択できるようになる。
【００６４】
以上のように、本発明によれば、画面を左右または上下に２つの画面に分割し、上下または左右方向に画像あるいはフォルダを配列し、上下または左右方向の所定操作のいずれか一つ押下した方向がアクティブ画面になり、上下または左右方向の所定操作で所望の画像あるいはフォルダを選択するので、比較したい画像を容易に選択することができる。また、上下または左右方向の所定の操作のみで、画像に属するフォルダに切り替わることができる。
【図面の簡単な説明】
【００６５】
【図１】本発明に係る画像表示装置の構成の一例を示すブロック図である。
【図２】画像表示装置の表示部に表示される画面の例を示す図である。
【図３】アクティブ画面を設定すると共にそのアクティブ画面に表示する画像を変化させるときに、図１の画像表示装置の表示部に表示される画面の例を示す図である。
【図４】アクティブ画面を設定すると共にそのアクティブ画面に表示する画像を変化させるときに、図１の画像表示装置の表示部に表示される画面の他の例を示す図である。
【図５】アクティブ画面として設定した側に対応する方向の操作キーの操作を入力部が受け付けたときに、図１の画像表示装置の表示部に表示される画面の例を示す図である。
【図６】アクティブ画面として設定した側に対応する方向の操作キーの操作を入力部が受け付けたときに、図１の画像表示装置の表示部に表示される画面の他の例を示す図である。
【符号の説明】
【００６６】
１…画像表示装置、１０…表示部、１０ａ…第１表示画面、１０ｂ…第２表示画面、１０ｃ…カーソル枠、１１…入力部、１２…分割画面制御部、１３…記録媒体、１４…キー入力部、１５…第１表示制御部、１６…第２表示制御部、１７…ＵＩ管理部、１８…記録媒体制御部。
【図１】
2008097324.tif 000003
【図２】
2008097324.tif 000004
【図３】
2008097324.tif 000005
【図４】
2008097324.tif 000006
【図５】
2008097324.tif 000007
【図６】
2008097324.tif 000008